(57)【要約】      （修正有）【課題】高機能化が可能な新たな構成を有するタッチパネル装置を提供する。【解決手段】押下操作部２００が、接地レベルに設定された導体面２５１を有する基材２５０と、導体面２５１の上方において導体面２５１と略平行に配設された抵抗シート２１０〜２４０を備える。抵抗シート２１０の＋Ｘ方向側端部に電極を配置し、抵抗シート２２０の−Ｘ方向側端部に電極を配置する。また、抵抗シート２３０の＋Ｙ方向側端部に電極を配置し、抵抗シート２４０の−Ｙ方向側端部に電極を配置する。また、押下された場合には、押下位置において、導体面２５１と、抵抗シート２１０〜２４０との間で電流経路が形成されるようになっている。そして、押下位置検出部３００が、所定の抵抗素子を介して、抵抗シート２１０、抵抗シート２２０、抵抗シート２３０及び抵抗シート２４０に順次、択一的に電圧を印加し、所定の抵抗素子を流れる電流量に基づいて押下位置を算出する。【選択図】  図１
2007241406.tif 000002
【特許請求の範囲】
【請求項１】
基準電位に設定された導体面を有する基材と；
前記導体面の上方において前記導体面と略平行に配設され、第１方向における一方側に第１電流供給用端子が設けられた第１抵抗シートと；
前記第１抵抗シートの上方において前記第１抵抗シートと略平行に配設され、前記第１方向における他方側に第２電流供給用端子が設けられた第２抵抗シートと；
前記第２抵抗シートの上方において前記第２抵抗シートと略平行に配設され、前記第１方向と交差する方向である第２方向における一方側に第３電流供給用端子が設けられた第３抵抗シートと；
前記第３抵抗シートの上方において前記第３抵抗シートと略平行に配設され、前記第２方向における他方側に第４電流供給用端子が設けられた第４抵抗シートと；
前記基準電位に対して一定電位となる電圧を出力する電圧出力手段と；
前記電源手段の出力端子と一方の端子が接続された抵抗素子と；
前記抵抗素子の他方の端子を、前記第１電流供給端子、前記第２電流供給端子、前記第３電流供給端子及び前記第４電流供給端子に、順次、択一的に接続する切換手段と；
前記抵抗素子を流れる電流量に基づいて押下位置を算出する押下位置算出手段とを備え、
前記第４抵抗シートの上方から押下された場合に、押圧が加わった位置で、前記導体面と前記第１抵抗シートとが接触し、前記第１抵抗シートと前記第２抵抗シートとが接触し、前記第２抵抗シートと前記第３抵抗シートとが接触し、かつ前記第３抵抗シート及び前記第４抵抗シートとが接触する、ことを特徴とするタッチパネル装置。
【請求項２】
前記第１抵抗シート及び前記第２抵抗シートでは、前記導体面と略平行であり、前記第１方向と垂直な方向に沿って抵抗値分布が変化し、
前記第３抵抗シート及び前記第４抵抗シートでは、前記導体面と略平行であり、前記第２方向と垂直な方向に沿って抵抗値分布が変化している、ことを特徴とする請求項１に記載のタッチパネル装置。
【請求項３】
前記第１方向と前記第２方向とは直交する、ことを特徴とする請求項１又は２に記載のタッチパネル装置。
【請求項４】
基準電位に設定された導体面を有する基材と；前記導体面の上方において前記導体面と略平行に配設され、第１方向における一方側に第１電流供給用端子が設けられた第１抵抗シートと；前記第１抵抗シートの上方において前記第１抵抗シートと略平行に配設され、前記第１方向における他方側に第２電流供給用端子が設けられた第２抵抗シートと；前記第２抵抗シートの上方において前記第２抵抗シートと略平行に配設され、前記第１方向と交差する方向である第２方向における一方側に第３電流供給用端子が設けられた第３抵抗シートと；前記第３抵抗シートの上方において前記第３抵抗シートと略平行に配設され、前記第２方向における他方側に第４電流供給用端子が設けられた第４抵抗シートとを備え、前記第４抵抗シートの上方から押下された場合に、押圧が加わった位置で、前記導体面と前記第１抵抗シートとが接触し、前記第１抵抗シートと前記第２抵抗シートとが接触し、前記第２抵抗シートと前記第３抵抗シートとが接触し、かつ前記第３抵抗シート及び前記第４抵抗シートとが接触するタッチパネル装置における押下位置検出方法であって、
所定抵抗値を有する抵抗素子を介して、前記第１電流供給端子、前記第２電流供給端子、前記第３電流供給端子及び前記第４電流供給端子に、順次、択一的に電圧を印加する電圧印加工程と；
前記抵抗素子を流れる電流量に基づいて押下位置を算出する押下位置算出工程と；を備えることを特徴とする押下位置検出方法。
【発明の詳細な説明】
【技術分野】
【０００１】
本発明は、タッチパネル装置及び当該タッチパネル装置を利用した押下位置検出方法に関する。
【背景技術】
【０００２】
従来から、キーボードやマウスととも、タッチパネル装置が情報入力装置として広く利用されている。かかるタッチパネル装置としては、特許文献１又は２に開示されているように、一様な抵抗分布を有する抵抗シートを２枚用意し、僅かに離隔して配置する。ここで、一方の抵抗シートのＸ軸方向両端部にそれぞれ電極を配置し、他方の抵抗シートのＹ軸方向両端部にそれぞれ電極を配置する構成を採用している。
【０００３】
そして、一方の抵抗シートの電極間に一定電圧を印加するとともに、他方の抵抗シートを介して押下位置における電圧値を検出し、押下位置のＸ位置を検出するようになっている。また、他方の抵抗シートの電極間に一定電圧を印加するとともに、一方の抵抗シートを介して押下位置における電圧値を検出し、押下位置のＹ位置を検出するようになっている。
【０００４】
【特許文献１】特開２００３−２２３２８３号公報
【特許文献２】特開平１１−３５３１０１号公報
【発明の開示】
【発明が解決しようとする課題】
【０００５】
上述した従来例のタッチパネル装置は、１点で押下がなされた場合には、当該押下位置を簡易にかつ精度良く検出できるという観点からは、非常に優れている。しかしながら、複数点で同時に押下がなされた場合には、押下位置を検出することができない。これは、複数点の押下がなされたときに検出される電圧値が、特定の１点で押下がなされた場合に検出される電圧値と同一となってしまうためである。
【０００６】
ところで、タッチパネル装置は、キーボードのように位置に対応したキー種類が固定されないので、操作入力装置として省スペース化を図ることができる。このため様々な分野において多様なタッチパネル装置の利用が望まれている。しかしながら、上述したように、１点押下にしか対応できないことが、タッチパネル装置の様々な分野における多様な利用の妨げとなっている。このため、タッチパネル装置の高機能化が強く望まれている。こうした高機能化を可能とすることが、本発明が解決すべき課題の一例として挙げられる。
【０００７】
本発明は、上記の事情を鑑みてなされたものであり、高機能化が可能な新たな構成を有するタッチパネル装置を提供することを目的とする。
【課題を解決するための手段】
【０００８】
請求項１の発明は、基準電位に設定された導体面を有する基材と；前記導体面の上方において前記導体面と略平行に配設され、第１方向における一方側に第１電流供給用端子が設けられた第１抵抗シートと；前記第１抵抗シートの上方において前記第１抵抗シートと略平行に配設され、前記第１方向における他方側に第２電流供給用端子が設けられた第２抵抗シートと；前記第２抵抗シートの上方において前記第２抵抗シートと略平行に配設され、前記第１方向と交差する方向である第２方向における一方側に第３電流供給用端子が設けられた第３抵抗シートと；前記第３抵抗シートの上方において前記第３抵抗シートと略平行に配設され、前記第２方向における他方側に第４電流供給用端子が設けられた第４抵抗シートと；前記基準電位に対して一定電位となる電圧を出力する電圧出力手段と；前記電源手段の出力端子と一方の端子が接続された抵抗素子と；前記抵抗素子の他方の端子を、前記第１電流供給端子、前記第２電流供給端子、前記第３電流供給端子及び前記第４電流供給端子に、順次、択一的に接続する切換手段と；前記抵抗素子を流れる電流量に基づいて押下位置を算出する押下位置算出手段とを備え、前記第４抵抗シートの上方から押下された場合に、押圧が加わった位置で、前記導体面と前記第１抵抗シートとが接触し、前記第１抵抗シートと前記第２抵抗シートとが接触し、前記第２抵抗シートと前記第３抵抗シートとが接触し、かつ前記第３抵抗シート及び前記第４抵抗シートとが接触する、ことを特徴とするタッチパネル装置である。
【０００９】
請求項４に記載の発明は、基準電位に設定された導体面を有する基材と；前記導体面の上方において前記導体面と略平行に配設され、第１方向における一方側に第１電流供給用端子が設けられた第１抵抗シートと；前記第１抵抗シートの上方において前記第１抵抗シートと略平行に配設され、前記第１方向における他方側に第２電流供給用端子が設けられた第２抵抗シートと；前記第２抵抗シートの上方において前記第２抵抗シートと略平行に配設され、前記第１方向と交差する方向である第２方向における一方側に第３電流供給用端子が設けられた第３抵抗シートと；前記第３抵抗シートの上方において前記第３抵抗シートと略平行に配設され、前記第２方向における他方側に第４電流供給用端子が設けられた第４抵抗シートとを備え、前記第４抵抗シートの上方から押下された場合に、押圧が加わった位置で、前記導体面と前記第１抵抗シートとが接触し、前記第１抵抗シートと前記第２抵抗シートとが接触し、前記第２抵抗シートと前記第３抵抗シートとが接触し、かつ前記第３抵抗シート及び前記第４抵抗シートとが接触するタッチパネル装置における押下位置検出方法であって、所定抵抗値を有する抵抗素子を介して、前記第１電流供給端子、前記第２電流供給端子、前記第３電流供給端子及び前記第４電流供給端子に、順次、択一的に電圧を印加する電圧印加工程と；前記抵抗素子を流れる電流量に基づいて押下位置を算出する押下位置算出工程と；を備えることを特徴とする押下位置検出方法である。
【発明を実施するための最良の形態】
【００１０】
以下、本発明の一実施形態を、図１〜図１２を参照しつつ、説明する。
【００１１】
図１には、一実施形態のタッチパネル装置１００の構成が概略的に示されている。図１に示されるように、タッチパネル装置１００は、押下操作部２００と、押下位置検出部３００とを備えている。ここで、押下操作部２００において押下操作がなされると、押下位置検出部３００が、押下操作部２００における押下位置を検出するようになっている。
【００１２】
押下操作部２００は、第１〜４抵抗シートとしての抵抗シート２１０〜２４０と、基材２５０とを備えている。ここで、基材２５０は、＋Ｚ方向側表面が導体面２５１となっている。また、抵抗シート２１０が、導体面２５１の＋Ｚ方向側の上方で、導体面２５１と略平行に配設されるとともに、抵抗シート２２０が、抵抗シート２１０の＋Ｚ方向側の上方に、抵抗シート２１０と略平行に配設されている。さらに、抵抗シート２３０が、抵抗シート２２０の＋Ｚ方向側の上方に、抵抗シート２２０と略平行に配設されるとともに、抵抗シート２４０が、抵抗シート２３０の＋Ｚ方向側の上方に、抵抗シート２３０と略平行に配設されている。
【００１３】
押下操作部２００は、押下されていない場合には、図２（Ａ）に示されるように、導体面２５１、抵抗シート２１０、抵抗シート２２０、抵抗シート２３０及び抵抗シート２４０が互いに僅かな隙間を介して離隔されている。そして、押下がなされると、図２（Ｂ）に示されるように、押圧の加わったＸＹ位置において、抵抗シート２４０の−Ｚ方向側表面と抵抗シート２３０の＋Ｚ方向側表面とが接触し、抵抗シート２３０の−Ｚ方向側表面と抵抗シート２２０の＋Ｚ方向側表面とが接触する。さらに、抵抗シート２２０の−Ｚ方向側表面と抵抗シート２１０の＋Ｚ方向側表面とが接触し、抵抗シート２１０の−Ｚ方向側表面と導体面２５１とが接触する。
【００１４】
抵抗シート２１０は、図３に示されるように、＋Ｘ方向側の端部に電極２１１が形成されている。この抵抗シート２１０は、抵抗列ＲＳ１，ＲＳ２，ＲＳ３，…，ＲＳＮ（以下、「ＲＳｊ（ｊ＝１〜Ｎ）」とも記す）が、−Ｙ方向に沿って順次配列された等価回路で表されるようになっている。ここで、抵抗列ＲＳｊは、それぞれが抵抗値Ｒｊの抵抗素子Ｒｊ1，Ｒｊ2，Ｒｊ3，Ｒｊ4，…が順次直列接続されたものとして表される。
【００１５】
なお、抵抗値Ｒ１，Ｒ２，…，ＲＮは、互いに異なる値であり、Ｒ１＜Ｒ２＜…＜ＲＮとなっている。そして、抵抗素子の接続点である格子点の位置が異なれば、押下位置検出部３００から供給され、抵抗シート２１０を流れる電流量が異なるようになっている。こうした事情は、後述する抵抗シート２２０〜２４０においても同様である。
【００１６】
抵抗シート２２０は、図４に示されるように、−Ｘ方向側の端部に電極２２１が形成されている。この抵抗シート２２０は、抵抗列ＲＳ１，ＲＳ２，ＲＳ３，…，ＲＳＮが＋Ｙ方向に沿って順次配列された等価回路で表されるようになっている。
【００１７】
抵抗シート２３０は、図５に示されるように、＋Ｙ方向側の端部に電極２３１が形成されている。この抵抗シート２３０は、抵抗列ＲＳ１，ＲＳ２，ＲＳ３，…，ＲＳＮが＋Ｘ方向に沿って順次配列された等価回路で表されるようになっている。
【００１８】
抵抗シート２４０は、図６に示されるように、−Ｙ方向側の端部に電極２４１が形成されている。この抵抗シート２４０は、抵抗列ＲＳ１，ＲＳ２，ＲＳ３，…，ＲＳＮが−Ｘ方向に沿って順次配列された等価回路で表されるようになっている。
【００１９】
押下位置検出部３００は、図７に示されるように、押下位置算出手段としても機能する制御回路３１０と、電圧供給手段としての電圧供給回路３２０と、切換手段としての切換回路とを備えている。また、押下位置検出部３００は、一定の抵抗値を有する抵抗素子Ｒ０（以下、抵抗値を表す場合も「Ｒ０」と記す）と、アナログデジタル変喚器（ＡＤＣ）３４０を備えている。
【００２０】
制御回路３１０は、中央処理装置（ＣＰＵ：Central Processing Unit）等を備えて構成され、プログラムが実行されるようになっている。こうしたプログラムを実行することにより、制御回路３１０は、（ｉ）切換回路３３０の動作制御、（ii）ＡＤＣ３４０からの通知結果に基づく、押下操作部２００における押下の有無及び押下位置の検出を行う。
【００２１】
電圧供給回路３２０は、接地レベルに対する一定値Ｖ０の電圧を発生して出力する。電圧供給回路３２０の接地レベル端子３２１は、上述の導体面２５１と接続されている。そして、接地レベルに対する一定値Ｖ０の電圧が電圧供給回路３２０の電圧供給端子３２２から出力される。
【００２２】
抵抗素子Ｒ０の一方の端子は、電圧供給回路３２０の電圧供給端子３２２に接続される。また、抵抗素子Ｒ０の他方の端子は、切換回路３３０の入力端子３３１に接続されている。
【００２３】
切換回路３３０は、上記の入力端子３３１と、４つの出力端子３３２1〜３３２4とを備えている。そして、出力端子３３２1は、上述した抵抗シート２１０の電極２１１と接続されている。また、出力端子３３２2は、上述した抵抗シート２２０の電極２２１と接続されている。また、出力端子３３２3は、上述した抵抗シート２３０の電極２３１と接続されている。また、出力端子３３２4は、上述した抵抗シート２４０の電極２４１と接続されている。
【００２４】
切換回路３３０は、制御信号端子３３３から入力した制御回路３１０からの制御指令に応答して、入力端子３３１と、出力端子３３２1〜３３２4のいずれか１つとを導通させる。かかる制御回路３１０からの指令に対応して、入力端子３３１と導通する出力端子を切り替えるために、切換回路３３０は、ＦＥＴ（Field Effective Transistor）等のスイッチ素子を備えて構成されている。
【００２５】
ＡＤＣ３４０の入力端子は、上述した抵抗素子Ｒ０の他方の端子と接続されている。そして、ＡＤＣ３４０は、抵抗素子Ｒ０の他方の端子における電圧値をデジタル値に変換する。この変化結果は、制御回路３１０に通知されるようになっている。
【００２６】
［動作］
次に、上記のように構成されたタッチパネル装置１００における押下位置検出動作について、説明する。なお、本実施形態においては、１点押下又は２点同時押下の押下位置の検出を行い、３点以上の同時押下がなされた場合には、エラーとして処理するようになっている。
【００２７】
押下位置検出に際しては、図８に示されるように、ステップＳ１１において、抵抗シート２１０への電圧印加が行われる。この電圧印加にあたっては、まず、制御回路３１０が、入力端子３３１と出力端子３３２1とを導通させるべき旨の指令を切換回路３３０へ送る。この指令を受けた切換回路３３０は、入力端子３３１と出力端子３３２1とを導通させる。この結果、電圧供給回路３２０の出力端子３２２と抵抗シート２１０の電極２１１とが、抵抗素子Ｒ０を介して接続され、抵抗シート２１０に電圧が印加される。
【００２８】
次に、ステップＳ１２において、抵抗素子Ｒ０を介して電流が流れている否かが判定される。この判定に際しては、制御回路３１０が、ＡＤＣ３４０からの通知データを監視し、通知データの値が電圧値Ｖ０を示している場合には、電流が流れていないと判定する。一方、制御回路３１０は、通知データの値が電圧値Ｖ０よりも低い電圧値Ｖ１を示している場合には、電流が流れていると判定する。
【００２９】
押下操作部２００において押下が行われておらず、電極２１１から導体面２５１へ至る電流経路が形成されていないため、ステップＳ１２における判定の結果が否定的であった場合には、ステップＳ１２の処理が繰り返される。一方、押下操作部２００において押下が行われ、電極２１１から導体面２５１へ至る電流経路が形成されているため、ステップＳ１２における判定の結果が肯定的であった場合には、処理はステップＳ１３へ移行する。このステップＳ１３では、制御回路３１０が、抵抗シート２１０を流れる電流量Ｉ１（＝（Ｖ０−Ｖ１）／Ｒ０）を算出する。
【００３０】
次いで、ステップＳ１４において、上記の抵抗シート２１０の場合と同様にして、抵抗シート２２０，２３０，２４０に順次電圧が印加され、抵抗シート２２０，２３０，２４０それぞれを流れる電流量Ｉ２，Ｉ３，Ｉ４が算出される。
【００３１】
次に、ステップＳ１５において、制御回路３１０による押下位置の算出が行われる。この押下位置の算出に際して、制御回路３１０は、上記のようにして得られた電流量Ｉ１，Ｉ２，Ｉ３，Ｉ４に基づいて、以下のようにして１点又は２点の押下位置を算出する。なお、３点以上の押下があったと推定される場合には、制御回路３１０は、エラーと判断するようになっている。
【００３２】
まず、制御回路３１０は、電流量Ｉ１、及び、押下された格子点位置が異なれば、抵抗シート２１０を流れる電流量が異なるようになっていることにに基づいて、１点の押下、２点の押下及び３点以上の押下のいずれであるかを推定（以下、「電流Ｉ１に基づく推定」と呼ぶ）する。電流Ｉ１に基づく推定の結果として３点以上の押下と推定された場合には、制御回路３１０は、エラー処理を行う。
【００３３】
一方、電流Ｉ１に基づく推定の結果として１点の押下又は２点の押下であると推定された場合には、制御回路３１０は、電流量Ｉ２、及び、押下された格子点位置が異なれば、抵抗シート２１０を流れる電流量が異なるようになっていることに基づいて、１点の押下、２点の押下及び３点以上の押下のいずれであるかを推定（以下、「電流Ｉ２に基づく推定」と呼ぶ）する。電流Ｉ１に基づく推定の結果として３点以上の押下と推定された場合には、制御回路３１０は、エラー処理を行う。なお、電流Ｉ１に基づく推定の結果として１点の押下又は２点の押下であると推定された場合には、障害が発生していない限り、電流Ｉ２に基づく推定の結果として３点以上の押下と推定されることは発生しない。
【００３４】
以上の判定の結果、電流Ｉ１に基づく推定の結果として１点の押下又は２点の押下であると推定され、かつ、電流Ｉ２に基づく推定の結果として１点の押下又は２点の押下であると推定された場合には、制御回路３１０は、電流Ｉ３，Ｉ４に基づいて、上記の電流Ｉ１，Ｉ２の場合と同様の推定を行う、これらの推定の結果として、電流Ｉ３，Ｉ４のいずれか一方に基づく推定結果として、３点以上の押下があったと推定された場合には、制御回路３１０はエラー処理を行う。
【００３５】
以上の推定の結果、電流Ｉ１，Ｉ２，Ｉ３，Ｉ４のいずれに基づく推定においても、１点の押下又は２点の押下であると推定された場合には、制御回路３１０は、電流Ｉ１に基づく推定押下点数と電流Ｉ２に基づく推定押下点数とが一致するか否かを判定する。この判定の結果が否定的であった場合には、制御回路３１０はエラー処理を行う。また、制御回路３１０は、電流Ｉ３に基づく推定押下点数と電流Ｉ４に基づく推定押下点数とが一致するか否かを判定する。この判定の結果が否定的であった場合にも、制御回路３１０はエラー処理を行う。
【００３６】
以上の推定押下点の一致性に間する判定の結果がいずれも肯定的であった場合には、制御回路３１０は、電流Ｉ１，Ｉ２，Ｉ３，Ｉ４それぞれについて、１点又は２点の押下位置のＸ位置及びＹ位置を求める。引き続き、そして、制御回路３１０は、求められた４組の１点又は２点の押下位置のＸ位置及びＹ位置の組相互間における一致性、又は、１点押下又は２点押下における両立性を判定する。
【００３７】
例えば、電流Ｉ１及び電流Ｉ２に基づく推定結果がともに１点押下であり、電流Ｉ１及び電流Ｉ２から求められる押下位置に一致性があり場合には、制御回路３１０は、１点押下であると判定する。そして、１点押下として、電流Ｉ３及び電流Ｉ４から求められた押下位置と、電流Ｉ１又は電流Ｉ２に基づいて求められたＸ位置とに両立性がある場合には、制御回路３１０が、１点押下における押下位置を求める。
【００３８】
また、電流Ｉ１及び電流Ｉ２に基づく推定結果がともに１点押下であり、電流Ｉ１及び電流Ｉ２から求められる押下位置に一致性がない場合には、制御回路３１０は、２点押下であると判定する。そして、電流Ｉ１及び電流Ｉ２から求められた２点の押下位置と、電流Ｉ３及び電流Ｉ４から求められた押下位置との両立性がある場合には、制御回路３１０が、２点押下として２点の押下位置を求める。
【００３９】
また、電流Ｉ１及び電流Ｉ２に基づく推定結果がともに２点押下である場合には、制御回路３１０は、電流Ｉ１及び電流Ｉ２から求められた２点の押下位置と、２点押下として、電流Ｉ３及び電流Ｉ４から求められた押下位置との両立性がある場合には、制御回路３１０が、２点押下として２点の押下位置を求める。
【００４０】
こうした一致性及び両立性の判定の結果、押下操作部２００において、１点押下又は２点押下あると判断された場合には、制御回路３１０は、１点又は２点の押下位置を確定する。この結果、（ｉ）図９に示されるような、１点押下の場合の押下点の位置、（ii）図１０に示されるような、Ｘ位置及びＹ位置の双方が異なる２点押下の場合におけるそれぞれの押下点の位置、（iii）図１１に示されるような、Ｙ位置が同一であり、Ｘ位置が互いに異なる２点押下の場合におけるそれぞれの押下点の位置、並びに（iv）図１２に示されるような、Ｘ位置が同一であり、Ｙ位置が互いに異なる２点押下の場合におけるそれぞれの押下点の位置を、３点以上の押下の場合と区別しつつ、精度良く検出される。なお、図９〜図１２においては、押下点を◆で表している。
【００４１】
以上説明したように、本実施形態では、押下操作部２００として、接地レベルに設定された導体面２５１を有する基材２５０と、導体面２５１の上方において導体面２５１と略平行に配設された抵抗シート２１０〜２４０を備える構成を採用する。そして、抵抗シート２１０の＋Ｘ方向側端部に電極２１１を配置し、抵抗シート２２０の−Ｘ方向側端部に電極２２１を配置する。また、抵抗シート２３０の＋Ｙ方向側端部に電極２３１を配置し、抵抗シート２４０の−Ｙ方向側端部に電極２４１を配置する。また、押下された場合には、押下位置において、導体面２５１と、抵抗シート２１０、抵抗シート２２０、抵抗シート２３０及び抵抗シート２４０との間で電流経路が形成されるようになっている。さらに、抵抗シート２１０、抵抗シート２２０、抵抗シート２３０及び抵抗シート２４０のそれぞれにおいて、等価回路における異なる格子点が押下された場合には、電流量が異なる抵抗分布としている。
【００４２】
そして、押下位置検出部３００が、抵抗素子Ｒ０を介して、電極２１１、電極２２１、電極２３１及び電極２４１に順次、択一的に電圧を印加し、抵抗素子Ｒ０を流れる電流量に基づいて押下位置を算出する。したがって、押下位置を２点まで、精度良く検出することができる。
【００４３】
［実施形態の変形］
本発明は、上記の実施形態に限定されるものではなく、様々な変形が可能である。
【００４４】
例えば、上記の実施形態では、１点押下又は２点同時押下の場合における押下位置を検出するようにしたが、３点以上の同時押下（例えば、３点の同時押下）の場合における押下位置も検出するようにすることもできる。
【００４５】
上記の実施形態では、抵抗シート２１０、抵抗シート２２０、抵抗シート２３０及び抵抗シート２４０の順で＋Ｚ方向に沿って配設するようにしたが、配設順は任意とすることができる。
【００４６】
また、上記の実施形態では、抵抗シート２１０、抵抗シート２２０、抵抗シート２３０及び抵抗シート２４０の順に電圧印加を行うようにしたが、電圧印加順は、任意とすることができる。
【００４７】
また、上記の実施形態では、抵抗シート２１０、抵抗シート２２０、抵抗シート２３０及び抵抗シート２４０を、同一種類の抵抗シート素材における電極配置位置や表裏を変えて構成するようにした。これに対して、等価回路における異なる格子点位置が押下された場合には、異なる電流量が流れる抵抗分布を有している抵抗シートであれば、互いに種類が異なる抵抗シート素材を用いて、抵抗シート２１０、抵抗シート２２０、抵抗シート２３０及び抵抗シート２４０を構成することができる。
【図面の簡単な説明】
【００４８】
【図１】本発明の一実施形態に係るタッチパネル装置１００の構成を概略的に示す図である。
【図２】図１の押下操作部の非押下時及び押下時における抵抗シート２１０〜２４０の形態を説明するための図である。
【図３】図１の押下操作部における抵抗シート２１０の構成を示す図である。
【図４】図１の押下操作部における抵抗シート２２０の構成を示す図である。
【図５】図１の押下操作部における抵抗シート２３０の構成を示す図である。
【図６】図１の押下操作部における抵抗シート２４０の構成を示す図である。
【図７】図１の押下位置検出部のブロック構成図である。
【図８】図７の押下位置検出部における押下位置検出動作を説明するためのフローチャートである。
【図９】１点押下の例を説明するための図である。
【図１０】２点押下の例を説明するための図（その１）である。
【図１１】２点押下の例を説明するための図（その２）である。
【図１２】２点押下の例を説明するための図（その３）である。
【符号の説明】
【００４９】
１００  …  タッチパネル装置
２１０  …  抵抗シート（第１抵抗シート）
２１１  …  電極
２２０  …  抵抗シート（第２抵抗シート）
２２１  …  電極
２３０  …  抵抗シート（第３抵抗シート）
２３１  …  電極
２４０  …  抵抗シート（第４抵抗シート）
２４１  …  電極
２５０  …  基材
２５１  …  導体面
３１０  …  制御回路（押下位置算出手段）
３２０  …  電圧供給回路（電圧供給手段）
３３０  …  切換回路（切換給手段）
Ｒ０    …  抵抗素子
【図１】
2007241406.tif 000003
【図２】
2007241406.tif 000004
【図３】
2007241406.tif 000005
【図４】
2007241406.tif 000006
【図５】
2007241406.tif 000007
【図６】
2007241406.tif 000008
【図７】
2007241406.tif 000009
【図８】
2007241406.tif 000010
【図９】
2007241406.tif 000011
【図１０】
2007241406.tif 000012
【図１１】
2007241406.tif 000013
【図１２】
2007241406.tif 000014